(57)【要約】【課題】十分な明るさの間接照明を備えた照明付き鏡を提供する。【解決手段】収納空間を有する枠体と、前記枠体の前方に設けられた鏡と、を有する鏡本体と、前記収納空間内に設けられた光源部と、前記鏡本体の上方に設けられ、前記収納空間の上方に位置するとともに、前記収納空間よりも前方まで延びた反射部材と、を備え、前記枠体は、前記光源部から照射された光を透過させるための窓部を前記収納空間の上方に有し、前記光源部は、前方斜め上方に向かって指向性を有する光を照射し、前記窓部を介して前記反射部材に前記光を入射させる発光素子を有し、前記反射部材は、入射した前記光を前方斜め下方に向かって反射させ、前記鏡の前方に届けることを特徴とする照明付き鏡である。【選択図】図２
2019139995.tif 000002
【特許請求の範囲】
【請求項１】
収納空間を有する枠体と、前記枠体の前方に設けられた鏡と、を有する鏡本体と、
前記収納空間内に設けられた光源部と、
前記鏡本体の上方に設けられ、前記収納空間の上方に位置するとともに、前記収納空間よりも前方まで延びた反射部材と、
を備え、
前記枠体は、前記光源部から照射された光を透過させるための窓部を前記収納空間の上方に有し、
前記光源部は、前方斜め上方に向かって指向性を有する光を照射し、前記窓部を介して前記反射部材に前記光を入射させる発光素子を有し、
前記反射部材は、入射した前記光を前方斜め下方に向かって反射させ、前記鏡の前方に届けることを特徴とする照明付き鏡。
【請求項２】
前記発光素子の光軸は、前記反射部材と交差し、
前記反射部材で反射した光の光軸は、前記鏡の前方に向かって延びることを特徴とする請求項１記載の照明付き鏡。
【請求項３】
前記反射部材は、前記発光素子から照射された光を反射する反射面を有し、
前記反射面の前端部は、略水平であることを特徴とする請求項１又は２に記載の照明付き鏡。
【請求項４】
前記反射面は、前記枠体の後端から上方に向かって略垂直に立ち上がる立ち上がり部と、前記立ち上がり部の上端から前方に向かって略水平に延びる延伸部と、を有することを特徴とする請求項３記載の照明付き鏡。
【請求項５】
前記反射面は、前記立ち上がり部と前記延伸部との間に、緩やかに湾曲する湾曲部をさらに有し、
前記発光素子は、前記光の一部を前記湾曲部に入射させることを特徴とする請求項４記載の照明付き鏡。
【請求項６】
前記反射部材の左右方向の幅は、前記鏡の左右方向の幅と略同一であることを特徴とする請求項１〜５のいずれか１つに記載の照明付き鏡。
【発明の詳細な説明】
【技術分野】
【０００１】
本発明の態様は、一般的に、照明付き鏡に関する。
【背景技術】
【０００２】
鏡と対面する使用者の顔などを照らすための照明を備えた照明付き鏡が知られている。こうした照明付き鏡において、顔などを明るく照らしつつ、使用者の眩しさを抑制するために、間接照明を用いることが提案されている（例えば、特許文献１）。
【０００３】
例えば、鏡の背面に光源を設け、光を複数回反射させて鏡の正面側に照射する構成が考えられている。しかしながら、このような構成では、十分な明るさを確保することが難しい。また、十分な明るさを確保するために光源から照射される光の出力を上げると、光源の周囲の温度が上昇し、照明に不具合が生じる恐れがある。このため、照明付き鏡では、間接照明とした場合にも、十分な明るさを得られるようにすることが望まれている。
【先行技術文献】
【特許文献】
【０００４】
【特許文献１】特開２００６−２７８１７９号公報
【発明の概要】
【発明が解決しようとする課題】
【０００５】
本発明は、かかる課題の認識に基づいてなされたものであり、十分な明るさの間接照明を備えた照明付き鏡を提供することを目的とする。
【課題を解決するための手段】
【０００６】
第１の発明は、収納空間を有する枠体と、前記枠体の前方に設けられた鏡と、を有する鏡本体と、前記収納空間内に設けられた光源部と、前記鏡本体の上方に設けられ、前記収納空間の上方に位置するとともに、前記収納空間よりも前方まで延びた反射部材と、を備え、前記枠体は、前記光源部から照射された光を透過させるための窓部を前記収納空間の上方に有し、前記光源部は、前方斜め上方に向かって指向性を有する光を照射し、前記窓部を介して前記反射部材に前記光を入射させる発光素子を有し、前記反射部材は、入射した前記光を前方斜め下方に向かって反射させ、前記鏡の前方に届けることを特徴とする照明付き鏡である。
【０００７】
この照明付き鏡によれば、光源部と反射部材とによって間接照明を構成することができる。これにより、発光素子から照射された光が使用者の眼に直接入射し、使用者に眩しさを与えてしまうことを抑制することができる。そして、発光素子から前方斜め上方に向かって指向性を有する光を照射し、窓部を介して反射部材に光を入射させ、反射部材に入射した光を前方斜め下方に向かって反射させることにより、発光素子から照射された光の大部分を一度の反射で鏡の前方に届けることができる。これにより、光を複数回反射させて鏡の前方に届ける場合などと比べて、発光素子から照射される光のロスを少なくすることができる。例えば、使用者の顔に対して上方から光を届け、化粧や寝起きの状態などを確認するために適した自然な状態を鏡に映すことができるとともに、発光素子から照射される光の出力を抑えることができ、光源部の不具合などを抑制することもできる。従って、十分な明るさの間接照明を備えた照明付き鏡を提供することができる。
【０００８】
第２の発明は、第１の発明において、前記発光素子の光軸は、前記反射部材と交差し、前記反射部材で反射した光の光軸は、前記鏡の前方に向かって延びることを特徴とする照明付き鏡である。
【０００９】
この照明付き鏡によれば、発光素子から照射された光の大部分を、より確実に一度の反射で鏡の前方に届けることができる。発光素子から照射される光のロスを、より適切に抑制することができる。
【００１０】
第３の発明は、第１又は第２の発明において、前記反射部材は、前記発光素子から照射された光を反射する反射面を有し、前記反射面の前端部は、略水平であることを特徴とする照明付き鏡である。
【００１１】
この照明付き鏡によれば、反射面の前端部が略水平であるため、発光素子から照射された光を、より適切な角度で反射させることができる。鏡の前方により適切に光を届けることができる。
【００１２】
第４の発明は、第３の発明において、前記反射面は、前記枠体の後端から上方に向かって略垂直に立ち上がる立ち上がり部と、前記立ち上がり部の上端から前方に向かって略水平に延びる延伸部と、を有することを特徴とする照明付き鏡である。
【００１３】
この照明付き鏡によれば、立ち上がり部と延伸部とを反射面に設けることにより、反射部材の反射面に傾斜などを設ける必要が無く、照明付き鏡の意匠性を向上させることができる。また、略水平な延伸部を設け、前端部よりも後方側まで反射面の略水平な部分を延ばすことにより、発光素子から照射された光を適切な角度でより反射させやすくすることができ、鏡の前方により適切に光を届けることができる。また、略垂直に立ち上がる立ち上がり部を設けることにより、反射面に傾斜などを設ける場合と比べて、延伸部をより長くすることができる。換言すれば、反射面の略水平な部分を、より長くすることができる。さらには、立ち上がり部を設けることにより、反射面の枠体から上方に向かって延びる部分に、発光素子から照射された光を当たり難くすることができる。従って、発光素子から照射された光の大部分を、より確実に一度の反射で鏡の前方に届けることができる。発光素子から照射される光のロスを、より適切に抑制することができる。
【００１４】
第５の発明は、第４の発明において、前記反射面は、前記立ち上がり部と前記延伸部との間に、緩やかに湾曲する湾曲部をさらに有し、前記発光素子は、前記光の一部を前記湾曲部に入射させることを特徴とする照明付き鏡である。
【００１５】
この照明付き鏡によれば、立ち上がり部と延伸部との間に湾曲部を設けることにより、例えば、立ち上がり部と延伸部との角部に暗がりができることを抑制することができ、より照明付き鏡の意匠性を向上させることができる。
【００１６】
第６の発明は、第１〜第５のいずれか１つの発明において、前記反射部材の左右方向の幅は、前記鏡の左右方向の幅と略同一であることを特徴とする照明付き鏡である。
【００１７】
この照明付き鏡によれば、反射部材の左右方向の幅が、鏡の左右方向の幅と略同一であるため、導光板などを用いずに略均一に反射部材の反射面を光らせることができる。そのため、鏡の前方の左右方向の略全体に亘って略均一に光を届けることができる。例えば、化粧や寝起きの状態などを確認するために適した、より自然な状態を鏡に映すことができる。さらには、鏡の幅に合わせた反射部材の幅とすることで、照明付き鏡の意匠性をより向上させることもできる。
【発明の効果】
【００１８】
本発明の態様によれば、十分な明るさの間接照明を備えた照明付き鏡を提供することができる。
【図面の簡単な説明】
【００１９】
【図１】図１（ａ）及び図１（ｂ）は、実施形態に係る洗面化粧台を模式的に表す正面図及び側面図である。
【図２】実施形態に係る照明付き鏡を模式的に表す斜視図である。
【図３】実施形態に係る照明付き鏡の一部を模式的に表す断面図である。
【図４】図４（ａ）〜図４（ｄ）は、実施形態に係る反射部材の変形例を模式的に表す断面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係る洗面化粧台を模式的に表す正面図及び側面図である。  
図１（ａ）及び図１（ｂ）に表したように、洗面化粧台２は、支持台３と、洗面器４と、水栓装置５と、照明付き鏡１０と、を備える。洗面化粧台２は、洗面所などの洗面空間に設置され、洗面空間の所定の取付面ＷＳに取り付けられた状態で使用される。
【００２１】
以下、本願明細書においては、取付面ＷＳの向く方向を「前方」とし、これと反対の方向を「後方」とする。また、前方を向いた状態を基準に、右側、左側、上側、下側を、それぞれ「右側方」、「左側方」、「上方」、「下方」とする。
【００２２】
支持台３は、洗面器４を支持する。支持台３は、例えば、フロアキャビネットである。この例において、支持台３は、引き出し式のキャビネットである。支持台３は、例えば、観音開き式のキャビネットなどでもよい。支持台３は、洗面器４を支持可能な任意の構成でよい。また、例えば、洗面器４を取付面ＷＳに直接取り付ける場合などには、支持台３を省略してもよい。
【００２３】
洗面器４は、支持台３の上に設けられる。洗面器４は、下方に向かって凹んだ凹状の洗面ボウル４ａを有する。洗面ボウル４ａは、水栓装置５から吐出された水を受ける。
【００２４】
水栓装置５は、洗面器４の上に設けられる。水栓装置５は、例えば、洗面器４内に設けてもよいし、取付面ＷＳに取り付けてもよい。水栓装置５は、吐水口５ａと、操作部５ｂと、を有する。吐水口５ａは、洗面ボウル４ａに向けて水を吐出する。操作部５ｂは、吐水口５ａから吐出される水の流量及び温度を調節する。この例において、操作部５ｂは、レバーハンドルである。操作部５ｂは、これに限ることなく、回転型のハンドルなどでもよい。操作部５ｂは、少なくとも流量を調節できればよい。
【００２５】
照明付き鏡１０は、洗面器４及び水栓装置５の上に設けられる。照明付き鏡１０は、取付面ＷＳに取り付けられる。これにより、照明付き鏡１０は、手洗いや洗顔などの洗面行為を行う使用者が、自身の顔や髪などを確認できるようにする。
【００２６】
図２は、実施形態に係る照明付き鏡を模式的に表す斜視図である。  
図３は、実施形態に係る照明付き鏡の一部を模式的に表す断面図である。  
図２及び図３に表したように、照明付き鏡１０は、鏡本体１２と、光源部１４と、反射部材１６と、を備える。
【００２７】
鏡本体１２は、枠体２０と、鏡２２と、を有する。枠体２０は、収納空間２４を有する。枠体２０は、例えば、略矩形の中空箱状である。鏡２２は、枠体２０の前方に設けられる。鏡２２は、例えば、略矩形の一枚の平板状である。換言すれば、鏡２２は、一面鏡である。
【００２８】
枠体２０は、例えば、一対の側板と、底板と、を有し、鏡２２と取付面ＷＳとの間に生じる空間の側方及び下方を覆う。これにより、取付面ＷＳに取り付けられた状態において、鏡２２の背面や収納空間２４などが、側方及び下方から視認されてしまうことを抑制することができる。照明付き鏡１０の意匠性を向上させることができる。
【００２９】
枠体２０は、例えば、洗面用具などの物品を収納空間２４内に収納できるようにしてもよい。すなわち、枠体２０は、キャビネットでもよい。この場合、鏡２２は、例えば、収納空間２４の前方を開閉する扉の前面に取り付けられる。また、この場合、複数の扉のそれぞれに鏡２２が取り付けられる可能性がある。すなわち、鏡２２は、二面鏡でもよいし、三面鏡などでもよい。
【００３０】
光源部１４は、収納空間２４内に設けられている。光源部１４は、発光素子３０と、基板３２と、を有する。発光素子３０は、基板３２の上に設けられる。発光素子３０は、可視光を照射する。基板３２は、例えば、左右方向に延びる平板状である。光源部１４は、例えば、左右方向に並べて設けられた複数の発光素子３０を有する。これにより、光源部１４は、左右方向に延びたライン状の光を照射する。換言すれば、光源部１４は、ライン光源である。なお、光源部１４において、基板３２は、必要に応じて設けられ、省略可能である。
【００３１】
反射部材１６は、鏡本体１２の上方に設けられ、収納空間２４の上方に位置するとともに、収納空間２４よりも前方まで延びる。反射部材１６の前端１６ｆは、例えば、鏡２２よりも前方に延びる。反射部材１６は、発光素子３０から照射された光を反射する反射面１６ｒを有する。反射面１６ｒは、例えば、鏡本体１２側を向く面である。
【００３２】
反射部材１６は、発光素子３０から照射された光（可視光）に対して光反射性を有する。反射部材１６は、例えば、金属板である。反射部材１６は、例えば、白色の樹脂材料を用いたものなど、光反射性を有する任意の部材でよい。また、反射部材１６は、全体が光反射性を有している必要は無く、少なくとも反射面１６ｒにおいて光反射性を有していればよい。例えば、透明な樹脂の板状の部材の表面に、光反射膜などをコーティングすることによって、反射部材１６を構成してもよい。
【００３３】
反射部材１６の左右方向の幅Ｗ１は、例えば、鏡２２の左右方向の幅Ｗ２と略同一である。ここで、幅Ｗ１が幅Ｗ２と略同一とは、例えば、幅Ｗ１と幅Ｗ２との差の絶対値が、５ｍｍ以下の状態である。但し、反射部材１６の左右方向の幅Ｗ１は、鏡２２の左右方向の幅Ｗ２と異なってもよい。
【００３４】
また、光源部１４の左右方向の幅Ｗ３は、例えば、反射部材１６の左右方向の幅Ｗ１及び鏡２２の左右方向の幅Ｗ２よりも僅かに短い程度である。光源部１４の幅Ｗ３は、例えば、枠体２０の一対の側板の厚さの分だけ、反射部材１６の幅Ｗ１及び鏡２２の幅Ｗ２よりも短い程度である。幅Ｗ１又は幅Ｗ２から幅Ｗ３を引いた残りの長さは、例えば、２０ｍｍ程度（１０ｍｍ以上３０ｍｍ以下）である。換言すれば、光源部１４の左右方向の幅Ｗ３は、収納空間２４の左右方向の幅と略同一である。
【００３５】
枠体２０は、光源部１４から照射された光を透過させるための窓部２６を収納空間２４の上方に有する。光源部１４は、例えば、収納空間２４の上部に設けられる。換言すれば、光源部１４は、窓部２６に近接して配置される。
【００３６】
窓部２６は、例えば、開口部２６ａと、カバー２６ｂと、を有する。開口部２６ａは、収納空間２４を上方に開口させる。カバー２６ｂは、枠体２０の上部に設けられ、開口部２６ａを塞ぐ。カバー２６ｂは、光源部１４から照射された光に対して光透過性を有する。カバー２６ｂは、例えば、透明な平板状である。これにより、カバー２６ｂは、光源部１４から照射された光を透過させつつ、開口部２６ａから塵埃などが収納空間２４内に侵入してしまうことを抑制する。カバー２６ｂは、必要に応じて設けられ、省略可能である。すなわち、開口部２６ａを窓部２６として用いてもよい。窓部２６の構成は、収納空間２４内に設けられた光源部１４から照射された光を収納空間２４の外部に出射させることができる任意の構成でよい。
【００３７】
発光素子３０は、前方斜め上方に向かって指向性を有する光を照射し、窓部２６を介して反射部材１６に光を入射させる。発光素子３０は、例えば、ＬＥＤ（Light Emitting Diode）である。これにより、上記のように、指向性を有する光を照射することができる。但し、発光素子３０は、ＬＥＤに限ることなく、例えば、レーザダイオードなど、指向性を有する光を照射可能な任意の発光素子でよい。
【００３８】
反射部材１６は、入射した光を前方斜め下方に向かって反射させ、鏡２２の前方に届ける。発光素子３０の光軸ＬＡ１は、反射部材１６と交差する。反射部材１６で反射した光の光軸ＬＡ２は、鏡２２の前方に向かって延びる。光軸ＬＡ２は、例えば、鏡本体１２に遮られることなく、鏡２２の前方に向かって延びる。光軸ＬＡ２は、例えば、光軸ＬＡ１と反射の法則が成り立つ軸である。すなわち、反射部材１６の反射面１６ｒの垂線と光軸ＬＡ２との成す角度θ２は、反射部材１６の反射面１６ｒの垂線と光軸ＬＡ１との成す角度θ１と実質的に同じである。
【００３９】
反射面１６ｒの前端部１６ｘは、略水平である。反射面１６ｒの前端部１６ｘとは、例えば、反射面１６ｒにおいて、枠体２０よりも前方に位置する部分である。反射面１６ｒは、枠体２０の後端から上方に向かって略垂直に立ち上がる立ち上がり部１６ａと、立ち上がり部１６ａの上端から前方に向かって略水平に伸びる延伸部１６ｂと、を有する。すなわち、この例では、延伸部１６ｂによって、反射面１６ｒの前端部１６ｘが、略水平となる。
【００４０】
ここで、略水平とは、例えば、水平面との平行度公差が、２ｍｍ以内の状態である。略垂直とは、例えば、上下方向及び左右方向に沿う垂直面との平行度公差が、２ｍｍ以内の状態である。
【００４１】
また、この例において、反射面１６ｒは、立ち上がり部１６ａと延伸部１６ｂとの間に設けられ、緩やかに湾曲する湾曲部１６ｃをさらに有する。発光素子３０は、光の一部Ｌｐを湾曲部１６ｃに入射させる。
【００４２】
以上、説明したように、本実施形態に係る照明付き鏡１０では、光源部１４と反射部材１６とによって間接照明を構成することができる。これにより、発光素子３０から照射された光が使用者の眼に直接入射し、使用者に眩しさを与えてしまうことを抑制することができる。そして、発光素子３０から前方斜め上方に向かって指向性を有する光を照射し、窓部２６を介して反射部材１６に光を入射させ、反射部材１６に入射した光を前方斜め下方に向かって反射させることにより、発光素子３０から照射された光の大部分を一度の反射で鏡２２の前方に届けることができる。これにより、光を複数回反射させて鏡２２の前方に届ける場合などと比べて、発光素子３０から照射される光のロスを少なくすることができる。例えば、使用者の顔に対して上方から光を届け、化粧や寝起きの状態などを確認するために適した自然な状態を鏡２２に映すことができるとともに、発光素子３０から照射される光の出力を抑えることができ、光源部１４の不具合などを抑制することもできる。従って、十分な明るさの間接照明を備えた照明付き鏡１０を提供することができる。
【００４３】
また、照明付き鏡１０では、発光素子３０の光軸ＬＡ１が、反射部材１６と交差し、反射部材１６で反射した光の光軸ＬＡ２が、鏡２２の前方に向かって延びる。これにより、発光素子３０から照射された光の大部分を、より確実に一度の反射で鏡２２の前方に届けることができる。発光素子３０から照射される光のロスを、より適切に抑制することができる。
【００４４】
また、照明付き鏡１０では、反射面１６ｒの前端部１６ｘが略水平であるため、発光素子３０から照射された光を、より適切な角度で反射させることができる。例えば、反射面１６ｒの前端部１６ｘが前方に向かって上昇傾斜している場合には、より前方側に光が反射してしまう。例えば、使用者の顔の後ろ側に光が向かってしまう。反対に、反射面１６ｒの前端部１６ｘが前方に向かって下降傾斜している場合には、鏡本体１２側に光が反射してしまう。従って、上記のように、反射面１６ｒの前端部１６ｘを略水平とすることにより、鏡２２の前方により適切に光を届けることができる。
【００４５】
また、照明付き鏡１０では、立ち上がり部１６ａと延伸部１６ｂとを反射面１６ｒに設けることにより、反射部材１６の反射面１６ｒに傾斜などを設ける必要が無く、照明付き鏡１０の意匠性を向上させることができる。また、略水平な延伸部１６ｂを設け、前端部１６ｘよりも後方側まで反射面１６ｒの略水平な部分を延ばすことにより、発光素子３０から照射された光を適切な角度でより反射させやすくすることができ、鏡２２の前方により適切に光を届けることができる。また、略垂直に立ち上がる立ち上がり部１６ａを設けることにより、反射面１６ｒに傾斜などを設ける場合と比べて、延伸部１６ｂをより長くすることができる。換言すれば、反射面１６ｒの略水平な部分を、より長くすることができる。さらには、立ち上がり部１６ａを設けることにより、反射面１６ｒの枠体２０から上方に向かって延びる部分に、発光素子３０から照射された光を当たり難くすることができる。従って、発光素子３０から照射された光の大部分を、より確実に一度の反射で鏡２２の前方に届けることができる。発光素子３０から照射される光のロスを、より適切に抑制することができる。
【００４６】
また、照明付き鏡１０では、立ち上がり部１６ａと延伸部１６ｂとの間に湾曲部１６ｃを設けることにより、例えば、立ち上がり部１６ａと延伸部１６ｂとの角部に暗がりができることを抑制することができ、より照明付き鏡１０の意匠性を向上させることができる。
【００４７】
また、照明付き鏡１０では、反射部材１６の左右方向の幅Ｗ１が、鏡２２の左右方向の幅Ｗ２と略同一であるため、導光板などを用いずに略均一に反射部材１６の反射面１６ｒを光らせることができる。そのため、鏡２２の前方の左右方向の略全体に亘って略均一に光を届けることができる。例えば、化粧や寝起きの状態などを確認するために適した、より自然な状態を鏡に映すことができる。さらには、鏡２２の幅Ｗ２に合わせた反射部材１６の幅Ｗ１とすることで、照明付き鏡１０の意匠性をより向上させることもできる。
【００４８】
図４（ａ）〜図４（ｄ）は、実施形態に係る反射部材の変形例を模式的に表す断面図である。  
なお、上記実施形態と機能・構成上実質的に同じものについては、同符号を付し、詳細な説明は、省略する。  
図４（ａ）に表したように、反射部材１６は、反射面１６ｒを前方に向かって上昇傾斜させるとともに、前端部１６ｘを略水平とした形状としてもよい。図４（ｂ）に表したように、反射部材１６は、反射面１６ｒの略全体を前方に向かって上昇傾斜させた形状としてもよい。
【００４９】
図４（ｃ）に表したように、反射部材１６は、反射面１６ｒを上方及び後方側に向かって凸となる凹曲面状にするとともに、前端部１６ｘを略水平とした形状としてもよい。あるいは、図４（ｄ）に表したように、反射部材１６は、反射面１６ｒの略全体を凹曲面状としてもよい。
【００５０】
このように、反射部材１６の形状は、発光素子３０から入射した光を前方斜め下方に向かって反射させ、鏡２２の前方に届けることができる任意の形状でよい。
【００５１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台２、照明付き鏡１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
２ 洗面化粧台、  ３ 支持台、  ４ 洗面器、  ５ 水栓装置、  １０ 照明付き鏡、  １２ 鏡本体、  １４ 光源部、  １６ 反射部材、  １６ａ 立ち上がり部、  １６ｂ 延伸部、  １６ｃ 湾曲部、  １６ｆ 前端、  １６ｒ 反射面、  １６ｘ 前端部、  ２０ 枠体、  ２２ 鏡、  ２４ 収納空間、  ２６ 窓部、  ２６ａ 開口部、  ２６ｂ カバー、  ３０ 発光素子、  ３２ 基板
【図１】
2019139995.tif 000003
【図２】
2019139995.tif 000004
【図３】
2019139995.tif 000005
【図４】
2019139995.tif 000006